(57)【要約】  協働するレセプタクルとの嵌合のための電子機器用筐体は、レセプタクルと嵌合したときに、レセプタクルの対応する導体に接触するための端子導体を有する。電子機器用筐体はハウジングを有し、このハウジングは、ハウジングの外形を画定するように配置された第１、第２、第３、第４、第５、及び第６の表面部分を有する。対応する電子機器用筐体と嵌合し、かつ保持するためのレセプタクルであって、このレセプタクルは、筐体と嵌合しているときに、筐体中の対応する導体に接触するための端子導体を有する。レセプタクルはベース面を有し、このベース面に沿って筐体が嵌合方向に平行移動して、筐体をレセプタクルに嵌合させる。吸収性物品管理システムは、レセプタクルを有するおむつであって、おむつのセンサ要素が前記レセプタクルにおいて終端する、おむつと、筐体に格納され、筐体がレセプタクルに嵌合しているときに、レセプタクルと協働して記録用電子機器をセンサ要素に接続するように適用されている、記録用電子機器を有する記録ユニットと、記録器によってセンサ要素から得られたデータを処理し、データに基づいて対策をとるためのデータ処理装置と、を備える。
2016515699.tif 000002
【特許請求の範囲】
【請求項１】
協働するレセプタクルとの嵌合のための電子機器用筐体であって、
前記電子機器用筐体は、前記レセプタクルと嵌合したときに、前記レセプタクルの対応する導体に接触するための端子導体を有し、
前記電子機器用筐体はハウジングを有し、
前記ハウジングは、前記ハウジングの外形を画定するように配置された第１、第２、第３、第４、第５、及び第６の表面部分を有し、
前記第１及び第２の表面部分は、前記レセプタクルを有する前記筐体の嵌合方向における前面部分及び背面部分それぞれであり、
前記第３及び第４の表面部分それぞれは、前記第１及び第２の表面部分を接続しており、
前記第５及び第６の表面部分それぞれは、前記第１及び第２の表面部分を接続し、かつそれぞれ前記第３及び第４の表面部分を接続しているとともに、嵌合方向以外の所定の方向において離間しており、
前記ハウジングは、前記嵌合方向を含むただ一つの対称面を有することを特徴とする、電子機器用筐体。
【請求項２】
対応するレセプタクルとの嵌合のための電子機器用筐体であって、
前記電子機器用筐体は、前記レセプタクルと嵌合したときに、前記レセプタクルの対応する導体に接触するための端子導体を有し、
前記電子機器用筐体はハウジングを有し、
前記ハウジングは、前記ハウジングの外形を画定するように配置された第１、第２、第３、第４、第５、及び第６の表面部分を有し、
前記第１及び第２の表面部分は、前記レセプタクルを有する前記筐体の嵌合方向における前面部分及び背面部分それぞれであり、
前記第３及び第４の表面部分それぞれは、前記第１及び第２の表面部分を接続しており、
前記第５及び第２の表面部分それぞれは、前記第１及び第２の表面部分を接続し、かつそれぞれ前記第３及び第４の表面部分を接続しているとともに、嵌合方向以外の所定の方向において離間しており、
前記第３及び第４の表面部分それぞれには、前記筐体を前記レセプタクル内に保持するために、前記レセプタクルの対応する部分に係合するためのロック用窪み又はロック用突起を設けられていることを特徴とする、電子機器用筐体。
【請求項３】
対応するレセプタクルとの嵌合のための電子機器用筐体であって、
前記電子機器用筐体は、前記レセプタクルと嵌合したときに、前記レセプタクルの対応する導体に接触するための端子導体を有し、
前記電子機器用筐体はハウジングを有し、
前記ハウジングは、前記ハウジングの外形を画定するように配置された第１、第２、第３、第４、第５、及び第６の表面部分を有し、
前記第１及び第２の表面部分は、前記レセプタクルを有する前記筐体の嵌合方向における前面部分及び背面部分それぞれであり、
前記第３及び第４の表面部分それぞれは、前記第１及び第２の表面部分を接続しており、
前記第５及び第２の表面部分それぞれは、前記第１及び第２の表面部分を接続し、かつそれぞれ前記第３及び第４の表面部分を接続しているとともに、嵌合方向以外の所定の方向において離間しており、
前記第３及び第４の表面部分それぞれは、前記筐体を前記レセプタクル内に保持するために、前記レセプタクルの対応する要素に係合するためのロック用窪み又はロック用突起を含み、
前記ハウジングは、前記背面部分と下面部分とを接合する端部に凹部を有するとともに、前記端部から前記背面部分と前記下面部分を部分的に横切って延びることを特徴とする、電子機器用筐体。
【請求項４】
前記第３及び第４の表面部分それぞれは、前記レセプタクルの対応する要素を係合させて、前記筐体を前記レセプタクルの中に保持するためのロック用突起及びロック用窪みのうちの１つを含むことを特徴とする請求項１に記載の電子機器用筐体。
【請求項５】
前記ハウジングは、前記背面部分と下面部分とを接合する端部にくぼみを有し、前記端部から前記背面部分及び下面部分を横切って延びることを特徴とする請求項１、２、及び４のいずれか一項に記載の電子機器用筐体。
【請求項６】
前記ハウジングは、前記嵌合方向を含むただ１つの対称面を有することを特徴とする請求項２〜５のいずれか一項に記載の電子機器用筐体。
【請求項７】
前記第３及び第４の表面部分は相対的に傾斜して、前記嵌合方向において前記第２の表面部分から前記第１の表面部分へ互いに対して接近することを特徴とする請求項１〜６のいずれか一項に記載の電子機器用筐体。
【請求項８】
前記第３及び第４の表面部分それぞれには、前記第１の表面部分から前記第２の表面部分へ、それぞれの表面部分に沿って少なくとも部分的に延びる、前記レセプタクルの保持部分に嵌合するための溝又はレールを設けられていることを特徴とする請求項１〜７のいずれか一項に記載の電子機器用形態。
【請求項９】
前記ロック用窪み又は前記ロック用突起は前記溝又は前記レールに配置されていることを特徴とする請求項８に記載の電子機器用筐体。
【請求項１０】
前記溝又は前記レールのそれぞれは、前記第３の表面部分又は前記第４の表面部分のそれぞれを前記第５の表面部分に接合する端部に平行に設けられていることを特徴とする請求項８又は９に記載の電子機器用筐体。
【請求項１１】
前記溝又はレールのそれぞれは、前記第３の表面部分又は前記第４の表面部分をそれぞれ前記第５の表面部分及び前記第６の表面部分以外に接合する端部よりも、前記第３の表面部分又は前記第４の表面部分をそれぞれ前記第５の表面部分及び前記第６の表面部分の一方に接合する端部の比較的近くに提供されていることを特徴とする請求項８〜１０のいずれか一項に記載の電子機器用筐体。
【請求項１２】
前記第５の表面部分及び前記第６の表面部分は、前記嵌合方向に垂直な平面における異なる曲率半径を有していることを特徴とする請求項１〜１１のいずれか一項に記載の電子機器用筐体。
【請求項１３】
前記第５の表面部分は、前記端子導体を支持するように構成されており、前記第６の表面部分は、前記嵌合方向に対して垂直な平面において、前記第５の表面部分の曲率半径よりも小さな曲率半径を有することを特徴とする請求項１２に記載の電子機器用筐体。
【請求項１４】
ｉ）前記第３の表面部分と前記第４の表面部分とからなる対と、
ｉｉ）前記第５の表面部分と前記第６の表面部分とからなる対と、
から選択された少なくとも１つの表面部分の対に、互いに異なる質感が提供されていることを特徴とする請求項１〜１３のいずれか一項に記載の電子機器用筐体。
【請求項１５】
前記第５の表面部分は略平面であることを特徴とする請求項１〜１４のいずれか一項に記載の電子機器用筐体。
【請求項１６】
前記第５の表面部分及び前記第６の表面部分は、二等辺三角形である周囲を有することを特徴とする請求項１〜１５のいずれか一項に記載の電子機器用筐体。
【請求項１７】
前記第２の表面部分及び善意第３の表面部分は、長方形である注意を有することを特徴とする請求項１〜１６のいずれか一項に記載の電子機器用筐体。
【請求項１８】
前記筐体は丸みをつけられた角部を有し、そこで前記第６の表面部分が、前記第１〜第４の表面部分のうちの少なくとも２つと合うことを特徴とする請求項１〜１７のいずれか一項に記載の電子機器用筐体。
【請求項１９】
前記第１の表面部分と前記第２の表面部分とのうちの少なくとも１つが、前記嵌合方向に沿った方向又は前記嵌合方向とは逆の方向のそれぞれにおいて外側に湾曲していることを特徴とする請求項１〜１８のいずれか一項に記載の電子機器用筐体。
【請求項２０】
前記第６の表面部分が、前記嵌合方向に垂直な方向において外側に湾曲していることを特徴とする請求項１〜１９のいずれか一項に記載の電子機器用筐体。
【請求項２１】
前記筐体は、前記端子導体に接続されているとともに、前記端子導体を介した吸収性物品からのセンサ信号を受け取り、処理するように構成された記録用電子機器を含むことを特徴とする請求項１〜２０のいずれか一項に記載の電子機器用筐体。
【請求項２２】
対応する電子機器用筐体と嵌合し、かつ保持するためのレセプタクルであって、前記レセプタクルが、前記筐体と嵌合しているときに、前記筐体中の対応する導体に接触するための端子導体を有する、前記レセプタクルにおいて、
前記レセプタクルはベース面を有し、該ベース面に沿って前記筐体が嵌合方向に平行移動して、前記筐体を前記レセプタクルに嵌合させ、
前記レセプタクルは、前記レセプタクルが、前記嵌合方向を横切る方向において、前記嵌合方向に沿った前記レセプタクル中への距離が増加するにつれて狭くなるように構成されている、レセプタクル。
【請求項２３】
対応する電子機器用筐体と嵌合し、かつ保持するためのレセプタクルであって、前記レセプタクルが、前記筐体と嵌合しているときに、前記筐体中の対応する導体に接触するための端子導体を有する、前記レセプタクルにおいて、
前記レセプタクルはベース面を有し、該ベース面に沿って前記筐体が嵌合方向に平行移動して、前記筐体を前記レセプタクルに嵌合させ、
前記レセプタクルは、前記嵌合方向を横切るベース面の対向する端部に配置された、前記筐体の対応する要素に係合するための
ｉ）ロック用突起と、
ｉｉ）ロック用窪みと、
から選択された少なくとも２つのロック用要素を有する、レセプタクル。
【請求項２４】
対応する電子機器用筐体と嵌合し、かつ保持するためのレセプタクルであって、前記レセプタクルが、前記筐体と嵌合しているときに、前記筐体中の対応する導体に接触するための端子導体を有する、前記レセプタクルにおいて、
前記レセプタクルはベース面を有し、該ベース面に沿って前記筐体が嵌合方向に平行移動して、前記筐体を前記レセプタクルに嵌合させ、
前記レセプタクルは、前記ベース面の後端部から前記嵌合方向に対して後方に延びる把持用突出部を有する、レセプタクル。
【請求項２５】
前記レセプタクルは、前記嵌合方向を横切るベース面の対向する端部に配置された、前記筐体の対応する要素に係合するための、
ｉ）ロック用突起と、
ｉｉ）ロック用窪みと、
から選択された少なくとも２つのロック用要素を有することを特徴とする請求項２２又は２４に記載のレセプタクル。
【請求項２６】
前記ベース面の後端部から前記嵌合方向に対して後方に延びる把持用突出部をさらに備えることを特徴とする請求項２２又は２３に記載のレセプタクル。
【請求項２７】
前記把持用突出部の後面が、窪んだ最後端面を有することを特徴とする請求項２４又は２６に記載のレセプタクル。
【請求項２８】
前記レセプタクルは、前記レセプタクルが前記嵌合方向を横切る方向において、前記嵌合方向に沿った前記レセプタクル中への距離が増加するにつれて狭くなるように構成されていることを特徴とする請求項２３〜２７のいずれか一項に記載のレセプタクル。
【請求項２９】
前記レセプタクルは、前記嵌合方向においてベース面の前端部から延び、前記筐体がいったん前記レセプタクルに嵌合すると、前記筐体の前記嵌合方向へのさらなる動きを禁止する前部停止部を有することを特徴とする請求項２２〜２８のいずれか一項に記載のレセプタクル。
【請求項３０】
前記停止部は、前記ベース部分の前端に沿って延びるバリアとして設けられていることを特徴とする請求項２９に記載のレセプタクル。
【請求項３１】
前記バリアは、前記ベース部分の前記前端に沿った中間に低くされた部分を有し、前記低くされた部分の前記ベース部分からの高さは、前記低くされた部分に隣接する前記バリアの部分の高さより低いことを特徴とする請求項３０に記載のレセプタクル。
【請求項３２】
前記バリアは壁であることを特徴とする請求項３０又は３１に記載のレセプタクル。
【請求項３３】
前記レセプタクルは、前記嵌合方向を横切る前記ベース面の対向する端部にそれぞれ配置されているとともに、それぞれが前記ベース面の前記端部に平行に延びる、前記筐体の対応する部分に係合するための
ｉ）ガイドレールと、
ｉｉ）ガイド溝と、
から選択された少なくとも２つのガイド要素を有することを特徴とする請求項２２〜３２のいずれか一項に記載のレセプタクル。
【請求項３４】
前記ガイド要素は、前記ベース面の前記対向する端部部分から延びる側壁部分に形成されていることを特徴とする請求項３３に記載のレセプタクル。
【請求項３５】
前記ロック要素はそれぞれ、前記ベース面の前記対向する端部部分から延びる柔軟なロックサポート上に設けられていることを特徴とする請求項３３に記載のレセプタクル。
【請求項３６】
前記ロック要素は、前記ガイド要素の端縁に隣接して、前記ガイド要素の端縁と同じ前記ベース面上の高さで設けられていることを特徴とする請求項３５に記載のレセプタクル。
【請求項３７】
少なくとも１つのガイド要素として、前記嵌合方向の相対的に前方にガイドレールが設けられ、前記ガイドレールは、該ガイドレールと同じ端部部分におけるロック用突起それぞれに対して設けられていることを特徴とする請求項３２〜３６のいずれか一項に記載のレセプタクル。
【請求項３８】
少なくとも１つのガイド要素として、前記嵌合方向の相対的に後方にガイド溝が設けられ、前記ガイド溝は、該ガイド溝と同じ端部部分におけるロック用窪みそれぞれに対して設けられていることを特徴とする請求項３３〜３７のいずれか一項に記載のレセプタクル。
【請求項３９】
前記ベース面は、略等脚台形の形状を有することを特徴とする請求項２２〜２８のいずれか一項に記載のレセプタクル。
【請求項４０】
センサ要素を有する吸収性物品との組み合わせで提供され、前記センサ要素は前記レセプタクルにおいて終端することを特徴とする請求項２２〜３９のいずれか一項に記載のレセプタクル。
【請求項４１】
請求項１〜２１のいずれか一項に記載の筐体と、協働する請求項２２〜４０のいずれか一項に記載のレセプタクルと、の組み合わせ。
【請求項４２】
請求項２２〜４０のいずれか一項に記載のレセプタクルを有するおむつであって、該おむつのセンサ要素が前記レセプタクルにおいて終端する、おむつと、
請求項１〜１６のいずれか一項に記載の筐体に格納され、前記筐体が前記レセプタクルに嵌合しているときに、前記レセプタクルと協働して前記記録用電子機器を前記センサ要素に接続するように適用されている、記録用電子機器を有する記録ユニットと、
前記記録器によって前記センサ要素から得られたデータを処理し、前記データに基づいて対策をとるためのデータ処理装置と、
を備える吸収性物品管理システム。
【発明の詳細な説明】
【技術分野】
【０００１】
本発明は電子機器の筐体及び対応するレセプタクルに関し、特に検知能力及び／又はデータを記録する能力を有するおむつ、生理用ナプキン、失禁用下着、医療用包帯、及びその種の物のような吸収性物品を提供するための、係合可能な状態、又は係合した協働状態で提供することができる電子機器の筐体及び対応するレセプタクルに関する。特に、電子機器の筐体は、センサを有する吸収性物品への取り付け及び接続のための検知及び／又はデータ記録用電子機器を提供する、若しくは提供することができるのに好適であり、一方でレセプタクルはセンサを有する吸収性物品に取り付けて提供されて、又は提供することができて、検知及び／又はデータ記録用電子機器を備える筐体がセンサに接続するレセプタクルと係合することができるのに好適である。
【背景技術】
【０００２】
おむつ、生理用ナプキン、失禁用下着、医療用包帯、及びその種の物のような吸収性物品は、幼児の世話、生理排出物の管理、身体流出液又は浸出液の管理、及び失禁の管理のような目的のための家庭環境及び施設環境の両方における広範囲に及ぶ有用性を有している。しかし、吸収性物品の使用に関連する既知の問題は、物品が吸収に対する有限容量を有することであり、このことは、もしもこの有限容量を超えると、吸収性物品を有効でなくし、例えば漏れを生じさせるか、又は少なくともさらに吸収することをできなくする。
【０００３】
したがって、そのような物品の使用者、又は介護者は、いつ吸収性物品がその吸収容量に近づくかを予測しなければならず、次いで容量に到達する前に物品を交換するステップを踏まなくてはならない。そのような吸収性物品の多くの使用者がいるが、施設環境のような比較的少ない介護者しかいない状況では、使用中の多くの吸収性物品の容量の管理が管理上の大きな負担となる。
【０００４】
吸収性物品は様々な吸収容量で入手可能であるので、使用者又は介護者は、入手可能なそれら製品から物品のどの容量を選択すべきかもまた決定しなくてはならない。例えば、ある状況では、それほど頻繁に交換されない比較的大きな容量の物品と比べて、より頻繁に交換される少ない容量の物品を選択することが好ましい場合がある。この選択に影響を与える要因は、必要とされる吸収の性質、すなわち間欠的な大量であるか、又は連続的な少量であるか、また、所定の時間間隔中に吸収されることを期待される合計容積である。
【０００５】
使用者又は介護者が、使用された吸収容量及び物品が交換される必要性の両方に関して、吸収性物品の状態を正確に予想するか又は決定することは非常に難しい場合がある。物品に対する吸収性の要求が無理なく予想可能である場合にあってさえ、レコード保持及び実験の期間が、パターンを確立することができ、適切な吸収性物品が提供される前に必要とされる。
【０００６】
使用者又は介護者に、吸収性物品の飽和又は差し迫った飽和を警告することができるシステムがしたがって有益である。さらに、特定の吸収性物品の使用パターン及び特定の個人に関する一連の吸収性物品の使用パターンを所定の時間に亘ってモニタすることができるシステムは特に有益である。
【０００７】
そのようなシステムは、埋め込まれたセンサを有する吸収性物品の形態をとることができ、それらセンサは長時間に亘ってセンサデータをモニタし、記録するために記録ユニットに接続される。センサは、例えば湿度センサとすることができる。吸収性物品の吸収容量が飽和に近づくか、又は超えた場合には、使用者又は介護者は、記録されたセンサデータに基づいて吸収性物品が交換を必要としていることの警報を受けることができる。
【０００８】
また、特定の使用者から長時間に亘って得られたデータは、その使用者の健康と、その使用者に対する長期間に亘る吸収性物品の妥当性と、の両方をモニタするために使用することができ、使用者の介護のためのより良い情報を提供するために使用することができる。例えば、失禁のような物品の飽和をもたらす事象を予測することができ、排泄行動のような行動を、その事象が生じる前に取ることができる。
【０００９】
１つの例示のシステムが図１に示されており、そこではおむつとして例示され、腰部バンド４１０及び吸収性領域４２０を有する吸収性物品４００には、腰部バンド４１０に取り付けられた記録ユニット３００であって、この記録ユニット３００から延び、吸収性領域を通過するセンサワイヤ４３０を有する記録ユニット３００が設けられている。センサワイヤ４３０は、例えばワイヤ間の電導度における変化を検知することによって湿気を検知するように使用することができる。センサワイヤは、例えば絶縁体をもうけることによってその一部のみを吸収性領域に露出することができ、検知の領域を局所化することができる。図示された特定の配線パターンは全体として例示であり、検知の要求に応じて選択される。
【００１０】
電源、プロセッサ、メモリー、命令記憶装置（ｉｎｓｔｒｕｃｔｉｏｎ  ｓｔｏｒｅ）、データ記憶装置、通信バス、及びデータリンクインターフェースのようなデータを記録する電子機器を備え、記憶し、プロセスし、及び／又はセンスワイヤから得られたデータを転送するように協働する記録ユニット３００は、データリンク５００によってデータレシーバ６００に接続されている。図１の例において、データリンク５００は無線データリンクであり、データレシーバ６００は無線データレシーバである。しかし、ドッキング機能（ｄｏｃｋｉｎｇ  ｆｕｎｃｔｉｏｎａｌｉｔｙ）を、記録装置３００と、データレシーバ６００として機能するドッキングステーションとの間に設けることができ、記録装置３００がドッキングステーションの中に配置される際に、記録装置３００に記録されたデータを転送することもまた可能である。さらなる代替形において、データリンク５００を携帯電話デットワーク上に設けることができ、この場合には、データレシーバ６００を携帯電話のベースステーションとして実装することができる。
【００１１】
データレシーバ６００で受け取られたデータは次いで、さらなるデータリンク７００によって、データリンク８３０によって相互接続されたコンピュータターミナル８１０及び出力装置８２０として例示されているデータ処理装置８００へ転送される。ここで、コンピュータターミナル８１０は、汎用データ処理装置の例であり、データリンク５００及び７００、並びにデータレシーバ６００を介して記録ユニット３００から受け取られたセンサデータの処理を行い、これらデータに基づいて、例えば警告を発すること、予想、又は出力装置８２０を介した統計処理による行動をとる。ここで、出力装置はラインプリンタとして示されているが、例えば、限定することなく、ハードコピープリンタ、画像表示ユニット、画像警告パネル、又は聴覚的出力装置からなる別の形とすることができる。
【００１２】
このようなシステムは、吸収性物品の使用者の管理のための強力なツールを提供することができる。
【００１３】
しかし、吸収性物品は従来から、衛生及び利便性の理由で使い捨ての吸収性物品である。再使用可能な吸収性物品が知られているが、それらは、とりわけ経済性及び衛生の理由で、特に施設環境及び医療環境においてまれにしか使用されていない。
【００１４】
したがって、図１の構成においては、記録ユニット３００がセンサワイヤ４３０に接続され、センサワイヤ４３０が物品４００を通じて延びているので、吸収性物品４００が使用後に廃棄される場合には記録ユニット３００もまた廃棄されてしまうに違いない。しかし、記録ユニット３００は通常、製造するために物品４００よりもはるかに経費がかかる。したがって、図１のシステムは、特に長時間作動させるのに非常に高価である場合がある。さらに、電子機器廃棄物の繰り返しの廃棄は環境的に不健全となる。さらに、物品４００とともに記録装置３００を廃棄することは、記録装置の付いた廃棄されるおむつを交換するために使用者に記録装置の付いた新しいおむつが提供される場合に、記録装置が正しく初期化され、使用者への記録装置のデータのリンクが正しく記録されるかを確実とすることにおける、使用者、介護者、又は施設に対するデータ管理の問題をもたらす。
【発明の概要】
【発明が解決しようとする課題】
【００１５】
本開示は、この問題に対する解決策を提供するものであり、後述にさらに詳しく記載される。
【課題を解決するための手段】
【００１６】
第１の観点によれば、協働するレセプタクルとの嵌合のための電子機器用筐体が提供され、この電子機器用筐体は、レセプタクルと嵌合したときに、レセプタクルの対応する導体に接触するための端子導体を有し、電子機器用筐体はハウジングを有し、このハウジングは、ハウジングの外形を画定するように配置された第１、第２、第３、第４、第５、及び第６の表面部分を有し、第１及び第２の表面部分は、レセプタクルを有する筐体の嵌合方向における前面部分及び背面部分それぞれであり、第３及び第４の表面部分それぞれが、第１及び第２の表面部分を接続しており、第５及び第６の表面部分それぞれが、第１及び第２の表面部分を接続するとともにそれぞれ第３及び第４の表面部分を接続し、かつ嵌合方向以外の所定の方向において離間しており、ハウジングは、嵌合方向を含むただ一つの対称面を有する。
【００１７】
第２の観点によれば、対応するレセプタクルとの嵌合のための電子機器用筐体が提供され、電子機器用筐体は、レセプタクルと嵌合したときに、レセプタクルの対応する導体に接触するための端子導体を有し、電子機器用筐体はハウジングを有し、このハウジングは、ハウジングの外形を画定するように配置された第１、第２、第３、第４、第５、及び第６の表面部分を有し、第１及び第２の表面部分は、レセプタクルを有する筐体の嵌合方向における前面部分及び背面部分それぞれであり、第３及び第４の表面部分それぞれが、第１及び第２の表面部分を接続しており、第５及び第６の表面部分それぞれが、第１及び第２の表面部分を接続するとともにそれぞれ第３及び第４の表面部分を接続し、かつ嵌合方向以外の所定の方向において離間しており、第３及び第４の表面部分それぞれには、筐体をレセプタクル内に保持するための、レセプタクルの対応する部分に係合するためのロック用窪み又はロック用突起が設けられている。
【００１８】
第３の観点によれば、対応するレセプタクルとの嵌合のための電子機器用筐体が提供され、この電子機器用筐体は、レセプタクルと嵌合したときに、レセプタクルの対応する導体に接触するための端子導体を有し、電子機器用筐体はハウジングを有し、このハウジングは、ハウジングの外形を画定するように配置された第１、第２、第３、第４、第５、及び第６の表面部分を有し、第１及び第２の表面部分は、レセプタクルを有する筐体の嵌合方向における前面部分及び背面部分それぞれであり、第３及び第４の表面部分それぞれが、第１及び第２の表面部分を接続しており、第５及び第６の表面部分それぞれが、第１及び第２の表面部分を接続するとともにそれぞれ第３及び第４の表面部分を接続し、かつ嵌合方向以外の所定の方向において離間しており、第３及び第４の表面部分それぞれは、筐体をレセプタクル内に保持するための、レセプタクルの対応する要素に係合するためのロック用窪み又はロック用突起を含み、ハウジングは、背面部分と下面部分とを接合する端部に凹部を有するとともに、端部から背面部分と下面部分を部分的に横切って延びる。
【００１９】
いくつかの実施形態では、第３及び第４の表面部分それぞれは、レセプタクルの対応する要素を係合させて、筐体をレセプタクルの中に保持するためのロック用突起及びロック用窪みのうちの１つを含む。
【００２０】
いくつかの実施形態では、ハウジングは、前記背面部分と下面部分とを接合する端部にくぼみを有し、前記端部から前記背面部分及び下面部分を横切って延びる。
【００２１】
いくつかの実施形態では、ハウジングは、前記嵌合方向を含むただ１つの対称面を有する。
【００２２】
いくつかの実施形態では、第３及び第４の表面部分は相対的に傾斜して、前記嵌合方向において第２の表面部分から第１の表面部分へ互いに対して接近する。
【００２３】
いくつかの実施形態では、第３及び第４の表面部分それぞれには、レセプタクルの保持部分に係合し、第１の表面部分から第２の表面部分へ、それぞれの表面部分に沿って少なくとも部分的に延びる溝又はレールを設けられている。
【００２４】
いくつかの実施形態では、ロック用窪み又はロック用突起は溝又はレールに配置されている。
【００２５】
いくつかの実施形態では、溝又はレールのそれぞれは、第３の表面部分又は第４の表面部分のそれぞれを第５の表面部分に接合する端部に平行に設けられている。
【００２６】
いくつかの実施形態では、溝又はレールのそれぞれは、第３の表面部分又は第４の表面部分それぞれを第５の表面部分及び第６の表面部分のうちの一方に接合する端部よりも、第３の表面部分又は第４の表面部分をそれぞれ第５の表面部分及び第６の表面部分のうちの他方に接合する端部の比較的近くに設けられている。
【００２７】
いくつかの実施形態では、第５の表面部分及び第６の表面部分は、嵌合方向に垂直な平面において異なる曲率半径を有している。
【００２８】
いくつかの実施形態では、第５の表面部分は端子導体を支持するように構成されており、第６の表面部分は、嵌合方向に対して垂直な平面において、第５の表面部分の曲率半径よりも小さな曲率半径を有する。
【００２９】
いくつかの実施形態では、ｉ）第３の表面部分と第４の表面部分とからなる対と、ｉｉ）第５の表面部分と第６の表面部分とからなる対と、から選択された少なくとも１つの表面部分の対に、互いに異なる質感が提供されている。
【００３０】
いくつかの実施形態では、第５の表面部分は略平坦である。
【００３１】
いくつかの実施形態では、第５の表面部分及び第６の表面部分は、二等辺三角形である周囲を有する。
【００３２】
いくつかの実施形態では、第２の表面部分及び第３の表面部分は、長方形である周囲を有する。
【００３３】
いくつかの実施形態では、筐体は丸みをつけられた角部を有し、そこで第６の表面部分が第１〜第４の表面部分のうちの少なくとも２つと合う。
【００３４】
いくつかの実施形態では、第１の表面部分と第２の表面部分と、のうちの少なくとも１方が、嵌合方向に沿った方向又は嵌合方向とは逆の方向のそれぞれにおいて外側に湾曲している。
【００３５】
いくつかの実施形態では、第６の表面部分が、嵌合方向に垂直な方向において外側に湾曲している。
【００３６】
いくつかの実施形態では、筐体は、筐体の外側に設けられた端子に接続されているとともにこの端子を介した吸収性物品からのセンサ信号を受け取り、処理するように構成された記録用電子機器を含む。
【００３７】
第４の観点によれば、対応する電子機器用筐体と嵌合し、かつ保持するためのレセプタクルが提供され、このレセプタクルは、筐体と嵌合しているときに筐体中の対応する導体に接触するための端子導体を有し、レセプタクルはベース面を有し、このベース面に沿って筐体が嵌合方向に平行移動して、筐体をレセプタクルに嵌合させ、レセプタクルは、レセプタクルが嵌合方向を横切る方向において、嵌合方向に沿ったレセプタクル中への距離が増加するにつれて狭くなるように構成されている。
【００３８】
第５の観点によれば、対応する電子機器用筐体と嵌合し、かつ保持するためのレセプタクルが提供され、このレセプタクルは、筐体と嵌合しているときに筐体中の対応する導体に接触するための端子導体を有し、このレセプタクルはベース面を有し、このベース面に沿って筐体が嵌合方向に平行移動して、筐体を前記レセプタクルに嵌合させ、レセプタクルは、嵌合方向を横切るベース面の対向する端部に配置された、前記筐体の対応する要素に係合するための  ｉ）ロック用突起と、ｉｉ）ロック用窪みと、から選択された少なくとも２つのロック用要素を有する。
【００３９】
第６の観点によれば、対応する電子機器用筐体と嵌合し、かつ保持するためのレセプタクルであって、このレセプタクルは、筐体と嵌合しているときに筐体中の対応する導体に接触するための端子導体を有し、レセプタクルはベース面を有し、このベース面に沿って筐体が嵌合方向に平行移動して、筐体をレセプタクルに嵌合させ、レセプタクルは、ベース面の後端部から嵌合方向に対して後方に延びる把持用突出部を有する。
【００４０】
いくつかの実施形態では、レセプタクルは、嵌合方向を横切るベース面の対向する端部に配置された、筐体の対応する要素に係合するためのｉ）ロック用突起と、ｉｉ）ロック用窪みと、から選択された少なくとも２つのロック用要素を有する。
【００４１】
いくつかの実施形態では、ベース面の後端部から嵌合方向に対して後方に延びる把持用突出部をさらに備える。
【００４２】
いくつかの実施形態では、把持用突出部の後面が、窪んだ最後端面を有する。
【００４３】
いくつかの実施形態では、レセプタクルは、このレセプタクルが嵌合方向を横切る方向において、嵌合方向に沿ったレセプタクル中への距離が増加するにつれて狭くなるように構成されている。
【００４４】
いくつかの実施形態では、レセプタクルは、前記嵌合方向においてベース面の前端部から延び、前記筐体がいったん前記レセプタクルに嵌合すると、筐体の嵌合方向へのさらなる動きを禁止する前部停止部を有する。
【００４５】
いくつかの実施形態では、停止部は、ベース部分の前端に沿って延びるバリアとして設けられている。
【００４６】
いくつかの実施形態では、バリアは、ベース部分の前端に沿った中間に低くされた部分を有し、この低くされた部分のベース部分からの高さは、低くされた部分に隣接するバリアの部分の高さより低い。
【００４７】
いくつかの実施形態では、バリアは壁である。
【００４８】
いくつかの実施形態では、レセプタクルは、嵌合方向を横切るベース面の対向する端部にそれぞれ配置されているとともに、それぞれがベース面の端部に平行に延びる、筐体の対応する部分に係合するためのｉ）ガイドレールと、ｉｉ）ガイド溝と、から選択された少なくとも２つのガイド要素を有する。
【００４９】
いくつかの実施形態では、ガイド要素は、ベース面の対向する端部部分から延びる側壁部分に形成されている。
【００５０】
いくつかの実施形態では、ロック要素はそれぞれ、ベース面の対向する端部部分から延びる柔軟なロックサポート上に設けられている。
【００５１】
いくつかの実施形態では、ロック要素は、ガイド要素の端縁に隣接して、ガイド要素の端縁と同じベース面上の高さに設けられている。
【００５２】
いくつかの実施形態では、少なくとも１つのガイド要素として、嵌合方向の相対的に前方にガイドレールが設けられ、ガイドレールは、このガイドレールと同じ端部部分におけるロック用突起それぞれに対して設けられている。
【００５３】
いくつかの実施形態では、少なくとも１つのガイド要素として、嵌合方向の相対的に後方にガイド溝が設けられ、ガイド溝は、このガイド溝と同じ端部部分におけるロック用窪みそれぞれに対して設けられている。
【００５４】
いくつかの実施形態では、ベース面は、略等脚台形の形状を有する。
【００５５】
いくつかの実施形態では、レセプタクルはセンサ要素を有する吸収性物品との組み合わせで提供され、センサ要素はレセプタクルにおいて終端する。
【００５６】
第７の観点によれば、第１〜第３の観点のいずれか１つの実施形態である筐体と、第４〜６の観点のいずれか１つの実施形態である協働するレセプタクルとの組み合わせが提供される。
【００５７】
第８の観点によれば、第４〜第６の観点のいずれか１つの実施形態であるレセプタクルを有するおむつであって、このレセプタクルにおいておむつのセンサ要素が終端する、おむつと、第１〜第３の観点のいずれか１つの実施形態である筐体に格納された記録電子機器をとともにレセプタクルと協働して記録電子機器をセンサ要素に接続するように適用された記録ユニットと、記録装置によってセンサ要素から得られたデータを処理し、これらデータに基づいて対策をとるためのデータ処理装置と、を備える吸収性物品管理システムが提供される。
【００５８】
本発明のより良い理解のため、及び本発明を効果的に使用するために、添付の図面が例示目的のみの方法によって参照される。
【図面の簡単な説明】
【００５９】
【図１】吸収性物品用のモニタリングシステムの概念図である。
【図２】筐体及びレセプタクルの上面図であり、筐体及びレセプタクルはそれぞれ本開示の例である。
【図３】レセプタクルにぴったり嵌る筐体の上面図であり、筐体及びレセプタクルはそれぞれ本開示の例である。
【図４】レセプタクルにぴったり嵌まった筐体の前面斜視図であり、筐体及びレセプタクルはそれぞれ本開示の例である。
【図５】レセプタクルにぴったり嵌まった筐体の背面斜視図であり、筐体及びレセプタクルはそれぞれ本開示の例である。
【図６】本開示の例であるレセプタクルの上面図である。
【図７】本開示の例であるレセプタクルの背面斜視図である。
【図８】本開示の例である筐体の上面図である。
【図９】本開示の例である筐体の前面斜視図である。
【図１０】本開示の例である筐体の側面図である。
【図１１】本開示の例である筐体の前面図である。
【図１２】部分的に嵌められた状態の筐体及びレセプタクルの側面図であり、筐体及びレセプタクルはそれぞれ本開示の例である。
【図１３】完全に嵌め合わされた状態の筐体及びレセプタクルの側面図であり、筐体及びレセプタクルはそれぞれ本開示の例である。
【図１４】完全に嵌め合わされた状態の筐体及びレセプタクルの前面図であり、筐体及びレセプタクルはそれぞれ本開示の例である。
【図１５】完全に嵌め合わされた状態の筐体及びレセプタクルの背面斜視図であり、筐体及びレセプタクルはそれぞれ本開示の例である。
【図１６】解放プロセス中の筐体及びレセプタクルの第１の状態の図であり、筐体及びレセプタクルはそれぞれ本開示の例である。
【図１７】解放プロセス中の筐体及びレセプタクルの代替的な第２の状態の図であり、筐体及びレセプタクルはそれぞれ本開示の例である。
【図１８】開示された筐体の別の実施形態の断面形状を示す図である。
【発明を実施するための形態】
【００６０】
本発明の実施形態が、図面を参照しつつ記載される。
【００６１】
吸収性物品及び本開示のモニタシステムの構成は、図１の構成に開示されているものと同様とすることができる。しかし、記録ユニット３００は、複数部分からなる形態、好ましくは図２に示されるような２つの部分からなる形態で設けられている。
【００６２】
図２は筐体１００と対応するレセプタクル２００とを示している。筐体１００はセンサ４３０をモニタするための電子機器を格納しており、レセプタクル２００は、筐体１００を吸収性物品４００に取り外し可能に取り付けるための筐体用取り付け点を提供する。ここでは、電子機器は、電源、プロセッサ、メモリー、命令記憶装置、データ記憶装置、通信バス、及びデータリンクインターフェースを含むことができ、これらは協働して、記憶し、処理し、及び／又はセンサワイヤから得られたデータを転送する。これを容易化するために、センサ４３０はレセプタクル２００の末端領域２１０における電気接点２１１で終端するように配置されており、そこでセンサワイヤ４３０が電気接点で終端処理される。筐体１００には、筐体１００がレセプタクル２００に嵌合する際に、レセプタクル２００の接点が筐体１００の接点に電気的に接触するように、対応する接点が設けられている。したがって、レセプタクル２００に嵌合する際に、電気機器用筐体１００は、センスワイヤ４３０と通信することができる。終端領域２１０は接触を支援するための基板を提供することができるか、又は解放領域として、吸収性物品の布に形成された予め規定された接点がレセプタクルの中に突出することを可能にする。
【００６３】
また、レセプタクル２００及び筐体１００は、対応するガイド及び嵌合手段を提供し、それによって筐体１００をレセプタクル２００内に容易に導入し、レセプタクル内に堅固に保持することができる。また、後述される特徴が、筐体１００を使用者が簡便な態様で、好ましくは片手で、レセプタクル２００から取り外すことができるように設けられている。このことは、使用者が介護者の指示に従順ではない場合が多いので、特に施設環境において重要であり、したがって筐体１００ができるだけ簡単に、使用者がレセプタクル又は筐体を見る必要さえなく、レセプタクル２００に正しく嵌合され、かつ取り外されることが好都合である。片手による嵌合及び取り外しを可能にすることは、介護者のもう片方の手が自由であって別の仕事、例えば記録を取り、又は使用者が従順であるように促すことを実行することを可能にする。
【００６４】
筐体１００のレセプタクル２００と嵌合した構成が、より詳細に図３、４、及び５に示されている。嵌合した構成を達成するために、筐体１００は適切に方向づけされ、レセプタクル２００と位置合わせされ、次いで、嵌合が達成されるまで、レセプタクルに向かって嵌合方向（方向Ｄとして図に示されている）に平行移動されて、嵌合した構成となる（図３、４、及び５）。筐体１００とレセプタクル２００との両方の様々な特徴が、協働してそのような嵌合プロセスと、その逆の解放プロセスを簡便且つ確実に可能とし、これは、それぞれの有利な特徴を参照しつつ、さらに十分に以下に記載される。
【００６５】
図６はレセプタクル２００を単体で示す。レセプタクル２００はベース面２２０を有し、このベース面に沿って筐体１００の表面が嵌合方法に平行移動して、嵌合した構成を達成する。ベース面２２０は、嵌合方向が存在する平面を画定し、嵌合プロセス中には筐体の位置をレセプタクルに対してその平面（以後、嵌合平面と称する）内の移動に拘束する。ベース面は平坦かつ連続的とすることができるが、図６の構成では、ベース面はリブ２３０の上面によって画定され、これらリブ２３０の間には陥凹部があって、レセプタクル２００の質量を減少させるとともに、末端領域２１０のための開口部を提供する。リブ２３０は、レセプタクルの吸収性物品に面する下面を画定する本質的に平坦な平面から上方に延びる。しかし、別の構成においては、平坦な連続的なベース面のような、ベース面の異なる構成が可能である。
【００６６】
本実施形態ではベース面に対向する平坦なプレートの側であるレセプタクルの下面は、ここでは接着剤のパッチを設けられるのに好適であり、レセプタクルを吸収性物品の表面に堅固に取り付けることを可能にしている。しかし、これは例示にすぎず、鍵ホック止め式の固定具又は糸若しくはリベット用の穴のような他の固定手段を、レセプタクルを吸収性物品に取り付けるために考えることができる。接着剤パッチが吸収性物品にレセプタクルを固定するために使用される場合には、例えば接着剤パッチに剥離紙でカバーされた吸収性物品に面する表面を有する接着剤パッチを適用するか、又はその後に接着剤をレセプタクルが吸収性物品に提供される点にスプレー若しくは液体として適用するかによって、製造時に吸収性物品にレセプタクルを固定するための接着剤パッチをレセプタクルに設けることができる。
【００６７】
また、レセプタクル２００には、嵌合平面内に筐体１００のレセプタクル２００に対する動きを可能にしてさらに制限する特徴が設けられる。特に、レセプタクル２００は、ベース平面の対向する側部上の係合平面に平行な面内でレセプタクルの側壁から内側に向かって延びるガイドレール２４０ａ、２４０ｂを有する。これらレール２４０ａ、２４０ｂは、図７において最も明瞭にみることができるように、ベース面上にベース面に垂直な方向に立ち上がり、側壁に支持され、筐体１００の対応するガイド溝１４０ａ、１４０ｂと協働するように配置されている。ガイドレール２４０ａ、２４０ｂの提供は、嵌合方向の周りの回転、嵌合方向に対して垂直な方向の周りの回転、及び嵌合平面に垂直な平面における並進を制限する。また、ガイド溝及びレールの使用は、特に筐体１００の嵌合平面中にあるが嵌合方向に対して垂直である軸の回りの回転に対する当初の位置ずれを、筐体１００及びレセプタクル２００が嵌合状態になるようにスムーズに修正することを可能にする。このことは、嵌合方向への移動方向のスムーズな修正が、筐体が確実な嵌合に対して好適な方向に動かされる際に、筐体の緩やかな再配向として介護者に伝達されるので、片手での嵌合を可能にするために特に好都合である。
【００６８】
ガイドレール２４０ａ及び２４０ｂは互いに対して傾斜しつつ、嵌合平面に対して平行を維持している。特に、ガイドレール２４０ａ、２４０ｂは、嵌合方向において合流しようとするように傾斜し、それによってガイドレール２４０ａ、２４０ｂは、嵌合方向にさらに進んだガイドレール２４０ａ、２４０ｂの端部のそれぞれにおいて互いに近接し、嵌合方向において後方に向いて位置付けされているレール２４０ａ、２４０ｂの対向端部は、相対的により離間している。この相対的な傾斜の効果は、当初のわずかな位置ずれがレールとの係合を阻止しないが、筐体１００とレセプタクル２００とが嵌合状態になる際に、レールのガイド効果が漸次増加して、正しい位置合わせがより重要な嵌合の最終段階中に達せされるのを確実とするように、レールのガイド効果が漸次適用されるということである。
【００６９】
また、レセプタクル２００にはロック用突出部２５０ａ、２５０ｂが設けられ、これらロック用突出部２５０ａ、２５０ｂは、筐体１００の対応するロック用凹部１５０ａ、１５０ｂに係合するように配置されている。本実施形態において、突出部２５０ａ、２５０ｂは、嵌合方向に対して対向する方向におけるレール２４０ａ、２４０ｂの延長部の形で形成されており、レールから小さなスペースだけ離間されている。突出部２５０ａ、２５０ｂは、レセプタクルの側壁の一部分として形成された弾性部分２５１ａ、２５１ｂそれぞれによって、ベース面２２０の上にベース面に垂直な方向に持ち上げられており、弾性部分２５１ａ、２５１ｂは、ロック用突出部それぞれが嵌合平面に対して垂直な面において内側及び外側に曲がるのを可能にしている。そのような構成は、レセプタクル２００における応力を減少させ、嵌合状態が達するとロック用突出部２５０ａ、２５０ｂが対応するロック用凹部１５０ａ、１５０ｂとの係合状態にスナップ式に閉じることを可能にする。スナップ式ロック動作は、確実な嵌合を触覚的に介護者に示し、したがって十分な接点間の電気的接続が達成され、また嵌合方向におけるさらなる前方に向かう動きに対する抑止手段として作用する。
【００７０】
また、レセプタクル２００は嵌合方向におけるベース面２２０の前方端に、嵌合平面に対して垂直な方向においてベース面から上方に延びる壁２６０の形状の前方バリアを有する。本実施形態において、壁２６０はレール２４０ａ、２４０ｂを支持する側壁とともに一体的に形成されている。この壁２６０は、一旦嵌合位置が達成されると、凹部１５０ａ、１５０ｂ中へのロック用突出部２５０ａ、２５０ｂのスナップ式ロック動作が無視されたとしても、筐体１００のレセプタクル２００中でのさらなる前方への動きに対する更なる停止部材として作用する。また、壁２６０は、嵌合方向に対向する方向、すなわち解放方向に筐体１００に不注意に適用される、筐体を解放状態にさせる外力に対するバリアを提供する。
【００７１】
壁２６０は、筐体１００の前面への嵌合方向とは対向する方向における限定されたアクセスを提供するための低くされた部分２６１を有し、それによって意図的な力を、例えば使用者又は介護者の親指によって、レセプタクル２００と嵌合している間の筐体１００に適用して、筐体１００をレセプタクル２００から解放させることができる。壁２６０に向かってベース面２２０の対向端部、すなわち嵌合方向に対してベース面の背面に設けられているのは、把持用窪み２７１を有する突出部２７０である。突出部２７０は、ベース面２２０の背面から後方に延び、使用者又は介護者が対向した指、例えば人差し指を置くことができる場所を提供して、親指が壁部２６０の低くされた部分２６１によって露出した位置で筐体を押した状態で、相対力を嵌合方向とは反対の方向で、レセプタクル２００と筐体１００との間に加えることができ、それによってレセプタクル２００と筐体１００とを開放することができる。
【００７２】
勿論、任意の、又は必要に応じて変化させることができるレセプタクルの多くの特徴がある。例えば、もしも使用中にレセプタクルと筐体とが開放する力に曝される恐れがない場合には、壁２６０及び突出部２７０をなくすことができる。もしも使用者が筐体とレセプタクルとを嵌合のために適切に位置合わせすることができるのであれば、ガイド２４０ｂ及び２４０ａは相対的に傾斜させる必要はない。確かに、ガイドレール２４０ａ、２４０ｂをなくすことができ、ロック用突出部２５０ａ、２５０ｂ及びベース面２２０だけに頼って筐体を嵌合面にガイドすることができる。代替的に、ロック用突出部２５０ａ、２５０ｂをなくすことができるか、他の場所に設けるか、又は他の係合手段、例えば留め金若しくはクリップに置き換えることもできる。ロック用突出部２５０ａ、２５０ｂを代替的にベース面２２０に設けるか、又はベース面に対向する面に設け、それによって少なくとも４つの側部で閉止されたレセプタクルを形成することもできる。しかし、開示された配置は、突出部に当初のガイド機能を行わせて、片手での操作を容易化することにおいて有利であると考えられる。
【００７３】
確かに、ベース面の上に位置し、嵌合平面に実質的に平行に方向づけられた第２の面が設けられたならば、ガイドレール２４０ａ及び２４０ｂ、並びにそれらを支持する壁を省略することができ、この面を、筐体１００をレセプタクル２００との適切な嵌合状態にするのに使用することができる。代替的に、ロック用突出部２５０ａ、２５０ｂを有するのではなく、ロック用凹部を筐体に、対応するロック用突出部のために設けることができる。場合によっては、凹部又は突出部は、存在するのであれば、ロック用突出部２５０ａ、２５０ｂのように後方に位置するよりはむしろ、ガイドレール２４０ａ及び２４０ｂの前方に、嵌合方向に設けられることが望ましい。いずれの構成も、ロック効果がただ一度だけ達成され、最終的な、安定した嵌合位置が得られるように設計することができる。
【００７４】
レール２４０ａ、２４０ｂは、相対的に傾斜する必要はないが、そのような傾斜は現在のところ有利であると考えられている。確かに、ベース面２２０は平坦である必要はなく、嵌合平面に沿って嵌合方向にみると、断面で上方又は下方に湾曲することができる。そのような面は、依然として嵌合面への動きを制限し、協働する下面を筐体に提供する。このような変形体すべては、本開示の技術的範囲内にあると考えられる。
【００７５】
レセプタクル２００とともに使用するための対応する例示的な筐体１００が図８〜１１に示されている。
【００７６】
示された筐体１００は６つの面を有し、これら面が一緒に、その中に格納される電子機器のためのハウジングを画定している。第１面１０１ａ及び第２面１０１ｂはそれぞれ、レセプタクル２００を有する筐体１００の嵌合方向における前面及び背面である。第３面１０１ｃ及び第４面１０１ｄはそれぞれ、視点の水平線が嵌合面として規定されている状態でレセプタクル２００を有する筐体１００の嵌合方向に見て、左面及び右面である。次いで、第５面及び第６面は、互いから嵌合面に垂直な方向に離間する上面１０１ｅ及び下面１０１ｆである。左及び右面１０１ｃ、１０１ｄは、嵌合方向に垂直ではあるが嵌合面内にある方向において互いから離間している。
【００７７】
本実施形態において、筐体１００は、少なくとも実質的な周囲に関しては、一般的に等脚台形の形状である上面１０１ｅ及び下面１０１ｆを有する。しかし、臨床環境においては、鋭角部は、選択における困難さと、使用者の快適さにおける問題とを生じるので、回避されることが有利であり、したがって少なくとも前面１０１ａ及び背面１０１ｂはそれぞれ、嵌合方向にそれぞれ向かう及び対向する方向において、外側に曲げられている。したがって、上面１０１ｅ及び下面１０１ｆの周囲を画定する等脚台形の少なくとも平行な側は厳密に平行ではなく、むしろこれらもまた対応した様式でわずかに外側に曲げられている。本筐体１００において、下面１０１ｆは平面であり平坦であって、滑動の様式でレセプタクル２００のベース面２２０に亘って容易に並進する。対照的に、上面１０１ｅはそれ自体平面ではなく、嵌合平面に対して垂直な方向にわずかに外側に曲げられている。上面１０１ｅ及び下面１０１ｆの周囲のそれぞれによって画定される平面はここでは平行であるが、それらが嵌合方向、解放方向、又は嵌合方向に対して垂直な方向のような所与の方向において合流しようとするように傾斜させることができる。
【００７８】
上面１０１ｅ及び下面１０１ｆの略等脚台形の構成の結果として、左面１０１ｃ及び右面１０１ｄは相互に傾斜して、嵌合方向に対して左面１０１ｃ及び右面１０１ｄの前端縁が左面１０１ｃ及び右面１０１ｄの後端縁よりも相対的により近くなっている。この傾斜の結果として、また下面１０１ｆに対する上面１０１ｅの異なる曲率半径の結果として、レセプタクル２００を保持している使用者にとって、筐体１００を見る必要なく、触るだけで筐体１００の方位を決定すること、及び筐体１００をレセプタクルとの嵌合のために正しく方向づけることが容易となる。このことは、レセプタクルが、おむつの背部のウェストバンドのような使用者又は介護者が容易に見ることができない場所、又はおむつを固定する、又は文書記録を作るというような介護者又は使用者が筐体１００をレセプタクル２００と嵌合させるのと同時に他の仕事を実行する場所に配置されている場合に有利である。
【００７９】
しかし、図面に示した構成は、この配置を達成する唯一の方法ではなく、ハウジングが、嵌合方向を含むただ一つの対称面しか有さない場合には、介護者が対応するレセプタクルとの嵌合のために筐体の包囲を決定することは容易である。必要とされる非対称は、多くの方法で提供することができる。例えば、合流する左の壁及び右の壁、並びに図に示された異なる湾曲は、有利であると考えられるが、異なる布地又はレリーフパターンを有する表面を設けること、又は他の非対称な特徴を設けることもまた、この構成を可能にすると考えられる。特に、布地上又は表面の非対称よりむしろ幾何学的な非対称が、筐体をレセプタクルと嵌合させることにおいて介護者を助けるうえで特に有利であると考えられる。採用することができる代替的な非対称は、台形ではあるが等脚ではない上面１０１ｅ及び下面１０１ｆ、又は台形でさえなく、短辺のどれもが略平行でもない上面１０１ｅ及び下面１０１ｆを提供することによる。対称性の欠如に貢献する他の特徴は、部分的にのみ筐体１００のそれぞれ側部１０１ｃ、１０１ｄに沿って延び、上面１０１ｅよりも下面１０１ｆに相対的に近いガイド溝１４０ａ、１４０ｂの提供を含み、使用者が、それら側部のみを触ることによって、筐体の方向を容易に決定することを可能にする。しかし、本実施形態は、使用しやすいが、レセプタクルとの簡単な嵌合を可能にする点に関して十分に非対称であるので、好ましい。
【００８０】
底部表面１０１ｆには、電気接点を有する（図示されない）接触ゾーンが設けられる。これら接点は、筐体１００がレセプタクルと嵌合されるときに、レセプタクルの対応する接点と電気的に接触するように配置される。これら接点が嵌合方向に筐体上の相対的に前方に配置されることが好ましく、このことは電気的接触が、筐体１００が堅固にレセプタクル２００に嵌合するまでは生じないことを保証する。好ましくは、筐体の接点及びレセプタクルの接点それぞれの嵌合方向における位置及び／又は長さは、ロック用突出部とロック用凹部との間のスナップ留めのフィードバックが、一式の接点それぞれが確実な電気接触状態になった時点でのみ生じるようにされている。一実施形態では、これは、レセプタクル及び筐体それぞれ上の対応する接点の対の接触のうちの少なくとも１つの、嵌合方向とは逆方向における、嵌合位置における対応する接点との電気的接触点から測定された長さが、嵌合方向におけるロック用突出部の長さの半分より長いことを、好ましくはロック用突出部の全長より長いことを確実にすることによって達成することができる。しかし、ベース面１０１ｆにおける以外の接点に対する位置付けは、検討することができる。例えば、接点は、例えば筐体２００の前壁２６０に形成された対応する接点との係合のために前面１０１ａに形成することができる。
【００８１】
左面１０１ｃ及び右面１０１ｄにはそれぞれ、嵌合平面において左面１０１ｃ及び右面１０１ｄに沿って前面１０１ａから少なくとも部分的に後方に延びるガイド溝１４０ａ、１４０ｂが設けられている。ガイド溝１４０ａ、１４０ｂが、前面１０１ａにおいて可移行していることが好ましいが、これは、左面１０１ｃ及び右面１０１ｄが、レセプタクル２００に設けられた対応するガイドレール２４０ａ、２４０ｂが、前面１０１ａの後方の当初の係合位置においてガイド溝１４０ａ、１４０ｂと係合することを可能にするように十分に傾斜しているのであれば、厳密には必要ではない。筐体１００の本実施形態では、ロック用凹部１５０ａ、１５０ｂは、レセプタクルのロック用突出部２５０ａ、２５０ｂとの係合のために、ガイド溝１４０ａ、１４０ｂそれぞれの後方端に設けられている。この位置付けは、ロック用突出部が、ガイド溝１４０ａ、１４０ｂ中を移動するガイドレール２４０ａ、２４０ｂのガイド効果に貢献することを可能にし、かつ左面１０１ｃ及び右面１０１ｄの互いに対する傾斜とともに、徐々に増加するガイド及びロック力を、筐体１００がレセプタクル２００の中に嵌合方向に平行移動するときに、ガイドレール２４０ａ、２４０ｂ及びロック用突出部２５０ａ、２５０ｂからガイド溝１４０ａ、１４０ｂの内面へそれぞれ適用することを可能にするので、有利である。本実施形態においては、ガイド溝１４０ａ、１４０ｂは、筐体の背面１０１ｂより遠くには延在せず、ロック用突出部それぞれは対応する溝の最も後ろの位置にある。この構成は、レセプタクルとの嵌合構成が達せられるとすぐに、溝の後壁、すなわち嵌合方向とは逆の方向の溝の表面が、筐体の嵌合方向におけるさらなる動きに対する停止部材として作用することを可能にする。
【００８２】
ロッキング力が次第に増加するように感じられるこの構成の２つの利点は、第１に、当初の大きなガイド又はロック力を克服する必要なく初期に筐体１００をレセプタクル２００に嵌合されることが比較的容易であること、及び第２に、ガイド溝１４０ａ、１４０ｂの内面に対してロック用突出部２５０ａ、２５０ｂによってかけられるロック力が、筐体１００がレセプタクル２００の中に挿入されるにつれて、次第に増加し、それによって使用者に、徐々に増加する挿入の難しさという形でのフィードバックを与えることであり、嵌合プロセスはスムーズかつ正確に進行する。筐体１００が完全にレセプタクル２００の中に挿入されるとこの力はすぐに緩和され、ロック用突出部２５０ａ、２５０ｂがガイド溝１４０ａ、１４０ｂに沿って後方に相対的にスライドする、ロック用突出部２５０ａ、２５０ｂが内側のロック位置へとように採用された、相対的に外側に曲げられた位置からスナップするとき、外側への曲げ力が緩和され、ロック用突出部２５０ａ、２５０ｂがロック用凹部１５０ａ、１５０ｂの中に定着するとき、る。
【００８３】
しかし、他の構成及びロック用突出部の場所が考えられ、実際にロック用突出部を筐体の左面１０１ｃ及び右面１０１ｄのいずれかに、若しくは例えば上面１０１ｅ及び底面１０１ｆに設けることができ、又は突出部を筐体に設け、凹部をレセプタクルに設けることができる。実際、記載されたロッキング動作は、互いに対して傾斜されている左面１０１ｃ及び右面１０１ｄには依存せず、平行な左面１０１ｃ及び右面１０１ｄによって達成され、当初の力は筐体１００をレセプタクル２００の中に挿入するときに克服され、もし存在するのであればガイド溝１４０ａ、１４０ｂの前内面又は別様に左面１０１ｃ及び右面１０１ｄが対応するロック用突出部２５０ａ、２５０ｂに外向きの力をかけて、筐体がレセプタクルの中に挿入されるときに突出部を外側に曲げる。また、同様の利点を筐体の上に配置された突出部と、レセプタクルに配置された窪みによって達成することもできる。しかし、筐体に突出部を形成することは、突出部が窪みよりも衛生環境において洗浄しやすいという利点を有している。他方で、突出部がレセプタクルに配置されている代替的な構成は、突出部がガイド溝と協働して筐体とレセプタクルとを嵌合のために当初から位置合わせするという点で有利である。
【００８４】
とりわけ、突出部及び窪みは、一方と他方とのスムーズな係合を可能にするために半球状又はフォーム形状であることが好ましいが、それに限定することなく、ピラミッド形状、三角プリズム形状、及びその他の突出部の形状を使用することができる。
【００８５】
また、筐体１００には、背面１０１ｂが底面１０１ｆに接合する縁部へ延びる背面１０１ｂ上に窪みを設けられる。この特徴は、正しい方位が決定されるのを可能にするさらなる非対称を前部から背部へ提供するだけでなく、筐体１００のレセプタクル２００からの容易な解放を可能にする。図１３、１４、及び１５に示されているとともに、特に図１５を参照する係合した状態から発して、窪み１２０は、ベース面２２０が全体として筐体１００の背面を全体として超えて突出するのを防止しつつ、レセプタクル２００のベース面２２０が、筐体１００の背面１０１ｂが筐体１００の底面１０１ｆに接合する縁部を超えて延びるのを可能にすることを見て取ることができる。この構成は、不注意による力が嵌合方向とは反対の方向にかかるのを防止しつつ、意図した力が筐体１００とレセプタクル２００との間に、嵌合方向とは反対の方向に使用者又は介護者によって簡単に加えられることを可能にする。窪み１２０を提供することによって、レセプタクル２００のベース面２２０の後端面を、窪み１２０の内面を超えて突出させてアクセス可能にすることができる。したがって、例えば、指で反対方向の力を嵌合方向とは逆の方向に筐体１００の前面１０１ａにかけながら、圧力を親指で、ベース面２２０の最も後ろの面でもある突出部２７０の端面２７１に加えることができる。圧力がかけられるにつれて、突出部２７０が筐体１００の底面１０１ｆの下に後退するので、筐体１００はレセプタクル２００に対して嵌合方向とは逆の方向、すなわち、解放方向に平行移動する。窪み１２０が背面１０１ｂに対して十分に深く延び、ロック用突起２５０ａ、２５０ｂが完全にロック用窪み１５０ａ、１５０ｂから外れるまで、レセプタクル２００の端面に圧力をかけることができ、その点で筐体１００とレセプタクル２００とを完全に解放するように、筐体１００をレセプタクル２００から簡単に滑動させることが好ましい。この嵌合と解放のプロセスが図１６及び１７に示されている。しかし、窪み１２０は本質的なものではなく、突起２７０を独立して設けるか、又は窪みを独立して設けて、筐体１００からレセプタクル２００を分離するように力をかけることができる。
【００８６】
また、図１６及び図１４を参照すると、レセプタクル２００の壁２６０の低くされた部分２６１は、この解放を容易化するうえで有利である。壁２６０に低くされた部分２６１を設けることによって、解放プロセス中に、壁２６０の残りの部分がレセプタクルの前部への不注意による衝撃が不注意による解放を生じさせないように防止しつつ、力を筐体１００の前面１０１ａに、例えば指によって図１６に示されるように、かけることができるように空間が提供される。
【００８７】
有利には、筐体１００の前面１０１ａには凹部１０２ａ、１０２ｂが設けられ、これら凹部は低くされた部分２６１以外の壁２６０の部分を収容するように形成されており、それによって、レセプタクル２００に嵌合したときに、筐体１００の前面１０１ａと壁２６０とが本質的にスムーズかつ均一な前面を提供する。このことは、吸収性物品の構成をよく知らない場合がある使用者が、不適切なときに筐体１００とレセプタクル２００とを分離させようとしないという利点を有している。
【００８８】
例示の実施形態において、レセプタクルと筐体との両方はＡＢＳプラスティックから形成されているが、材料の選択は、局所的な設計の制約及び材料の入手性によってのみ本質的に制限される。
【００８９】
例示の実施形態において、筐体の第１から第６の面は面全体が端縁、好ましくは丸みを帯びた端縁によって境界を定められており、これら端縁において面それぞれは他の面と接触する。しかし、本発明はそのような構成に限定されるわけではなく、本発明の利点の少なくともいくつかは、第１〜第６の面部分を有し、それら面部分のそれぞれが大きな１つの面の一部分であってもよく、それら綿部分のいくつか又はすべてが隣接することができるとともに端縁無しに互いにスムーズに接続されることができる、実施形態によって得ることができる。
【００９０】
例えば、第３、第４、第５、及び第６の面部分が隣接している場合には、第３〜第６の面部分がアーチ状の面を形成することができ、嵌合方向に亘って取られた筐体の断面は、実質的に楕円形状又は円形状である場合がある。第３、第４、及び第６の面部分が隣接しているが、第５の面が平面であり、第３第４、及び第６の面部分がアーチ状の面を形成する場合には、筐体の断面は、弓形状又は半円状となる場合がある。第５の面は平面だが、第３及び第４の面が端縁で接続している場合には、その端縁の尖った面、特に丸みを帯びた面を第３と第４の面を接合する第６の面とみなすことができ、筐体の断面は三角形状となる場合がある。このような原理で他の変形体も可能であり、本開示はそのような変形体すべてに適用可能であるように意図されている。例えば、断面は嵌合方向において長さとともに変化させることができる。
【００９１】
図１８は、純粋に可能性のある断面の例として、Ａ：楕円形状断面、Ｂ：丸められた角を有する長方形状断面、Ｃ：弓型状断面、及びＤ：三角形状断面を示している。
【００９２】
代替的な断面を有する変形体に対して既に述べた例示の実施形態の原理の適用の例のみとして、図１８Ａを参照すると、ガイド溝及びロック用窪みを楕円形の長軸の端部若しくはその近傍に配置することができる。そのような構成では、電気接点は楕円形の短軸の一方の（低い方の）端部に設けることができる。しかし、これは単に１つの可能性のある構成に過ぎず、ガイド溝及びロック用窪みは、楕円の長軸の端部と短軸の端部との間の所定の位置に配置することができる。
【００９３】
これもまた例のみとして、図１８Ｂを参照すると、ガイド溝及びロック用窪みは、長方形の長軸の端部若しくはその近傍に配置することができる。そのような構成では、電気接点は楕円形の短軸の一方の（低い方の）端部に設けることができる。しかし、これは単に１つの可能性のある構成に過ぎず、ガイド溝及びロック用窪みは、長軸の端部以外の長方形の短編上の所定の位置に配置することができるが、電気接点は、短軸の端部以外の長方形の短編の所定の位置に配置することができる。
【００９４】
これもまた例のみとして、図１８Ｃを参照すると、ガイド溝及びロック用窪みは、弓形の湾曲面の上側部に配置することができる。そのような構成では、電気接点は湾曲面の最も低い点に設けることができる。しかし、これは単に１つの可能性のある構成に過ぎず、例えば電気接点を最も低い点から湾曲面の上の部分の所定の位置に配置することができるが、ガイド溝及びロック用窪みの位置をどこにするかについては、選択された曲率の半径に依存して自由度がある。
【００９５】
これもまた例のみとして、図１８Ｄを参照すると、ガイド溝及びロック用窪みは、三角形の水平に対して傾斜した側部の上側部に配置することができる。そのような構成では、電気接点は頂点の一方の側若しくは両方の側に設けることができるか、又は頂点が丸められている場合には、頂点の全域に設けることができる。しかし、例Ａ、Ｂ、及びＣに関しては、これは単に１つの可能性のある構成に過ぎず、ここでもまた、例示の実施形態の様々な要素の配置におけるかなりの自由度がある。
【００９６】
勿論、変形体の筐体のそれぞれに対して、レセプタクルの、特にベース面の好適かつ容易な変形を適用して、変形体の筐体との密接かつ確実な嵌合を可能とすることができる。
【００９７】
さて、筐体１００とレセプタクル２００との構成及び相互の作動が説明され、図１のシステムへのそれらの適用のいくつかの利点が明確となったであろう。
【００９８】
特に、比較的廉価であり電子機器を含まないレセプタクル２００は、個々人による使用のための一連のおむつへの複数の事例として設けられる場合があり、一方で、図１のシステムとは対照的に、特定の個人に関連してただ１つの筐体１００が必要とされる。おむつ４００の製造中に、レセプタクル２００のそれぞれが便利な場所に取り付けられ、レセプタクル２００の接点がセンスワイヤ４３０の末端として設けられている。
【００９９】
一方で筐体１００は、電源、処理装置、メモリー、データ記録用電子機器、命令記憶装置、データ記憶装置、通信バス、及びデータリンクインターフェースのようなデータを記録する電子機器を格納し、及び／又はセンスワイヤ４３０からデータリンク５００、データ受信装置６００、データリンク７００を介して得られたデータを、データ処理装置８００へ転送する。データリンク５００が無線データリンクである場合には、そのような送信は直ちにかつオンデマンドとすることができ、又は遅延式で、バッチ式に送信されて、電力又は通信コストを節約することができる。データ受信装置がドッキングステーションである場合には、記録電子機器は典型的にはデータを、ドッキングステーションを通じてダウンロードする前に、所定の期間、記憶する。
【０１００】
最初に、使用者は吸収性物品４００を取り付けられ、この吸収性物品にはレセプタクル２００が設けられており、記録電子機器を含む筐体１００がレセプタクルと嵌合する。レセプタクル及び筐体の接点が、したがって電気接続状態にもたらされ、筐体中の電子機器が、記録目的用のセンスワイヤにアクセスすることができる。
【０１０１】
吸収性物品が交換されなければならないことが明白となると、記録電子機器を含む筐体が、介護者又は使用者によって、前述した解放プロセスによって容易に取り外され、吸収性物品は廃棄され、交換用レセプタクル２００を有する交換用吸収性物品が提供される。特定の使用者に関する記録電子機器を含む筐体１００は、次いで新しいレセプタクル２００と、前述の嵌合プロセスに従って嵌合させられ、それによって新しい吸収性物品４００のセンスワイヤ４３０に接続される。したがって、データの記録はただ１つの記録器によって継続され、一方で比較的廉価な吸収性物品を使用し、廃棄することができる。
【０１０２】
したがって、使用者に関連する吸収性物品の状態をモニタし、その使用者に長時間に亘って関連するいくつかの異なる吸収性物品の状態さえモニタするシステムが、費用効果が高く便利なものとなる。
【０１０３】
このようなシステムは、居住用療養所、医療施設、保育施設、学校、強制施設、及び、個々人の又は多くの個人の失禁状態のモニタが必要とされる他の環境における用途を見い出すであろう。
【０１０４】
前述の実施形態及びそれらの変形体が、説明目的のみのために開示されてきており、さらなる変型隊が当業者である読者の能力の範囲で完全に可能緒である。したがって、特許請求の範囲に記載された請求項は、当業者が前述の開示から、その一般的知識及び特別な知識並びに経験を考慮して達成することができるすべての変形、置き換え、代替、省略、及び追加の全てをカバーすることを意図されている。
【符号の説明】
【０１０５】
１００      筐体
１０１ａ      第１面、前面
１０１ｂ      第２面、背面
１０１ｃ      第３面、左面
１０１ｄ      第４面、右面
１０１ｅ      第５面、上面
１０１ｆ      第６面、下面
１４０ａ、１４０ｂ      ガイド溝
１５０ａ、１５０ｂ      ロック用凹部
２００      レセプタクル
２１０      末端領域
２１１      電気接点
２２０      ベース面
２３０      リブ
２４０ａ、２４０ｂ      ガイドレール
２５０ａ、２５０ｂ      ロック用突出部
２５１ａ、２５１ｂ      弾性部分
２６０      壁
２６１      低くされた部分
２７０      突出部
２７１      把持用窪み
３００      記録ユニット
４００      吸収性物品
４１０      腰部バンド
４２０      吸収性領域
４３０      センサワイヤ
５００、７００、８３０      データリンク
６００      データレシーバ
８００      データ処理装置
８１０      コンピュータターミナル
８２０      出力装置
Ｄ          嵌合方向
【図１】
2016515699.tif 000003
【図２】
2016515699.tif 000004
【図３】
2016515699.tif 000005
【図４】
2016515699.tif 000006
【図５】
2016515699.tif 000007
【図６】
2016515699.tif 000008
【図７】
2016515699.tif 000009
【図８】
2016515699.tif 000010
【図９】
2016515699.tif 000011
【図１０】
2016515699.tif 000012
【図１１】
2016515699.tif 000013
【図１２】
2016515699.tif 000014
【図１３】
2016515699.tif 000015
【図１４】
2016515699.tif 000016
【図１５】
2016515699.tif 000017
【図１６】
2016515699.tif 000018
【図１７】
2016515699.tif 000019
【図１８】
2016515699.tif 000020
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
協働するレセプタクルとの嵌合のための電子機器用筐体であって、
前記電子機器用筐体は、前記レセプタクルと嵌合したときに、前記レセプタクルの対応する導体に接触するための端子導体を有し、
前記電子機器用筐体はハウジングを有し、
前記ハウジングは、前記ハウジングの外形を画定するように配置された第１、第２、第３、第４、第５、及び第６の表面部分を有し、
前記第１及び第２の表面部分は、前記レセプタクルを有する前記筐体の嵌合方向における前面部分及び背面部分それぞれであり、
前記第３及び第４の表面部分それぞれは、前記第１及び第２の表面部分を接続しており、
前記第５及び第６の表面部分それぞれは、前記第１及び第２の表面部分を接続し、かつそれぞれ前記第３及び第４の表面部分を接続しているとともに、嵌合方向以外の所定の方向において離間しており、
前記ハウジングは、前記嵌合方向を含むただ一つの対称面を有することを特徴とする、電子機器用筐体。
【請求項２】
前記第３及び第４の表面部分それぞれは、前記レセプタクルの対応する要素を係合させて、前記筐体を前記レセプタクルの中に保持するためのロック用突起及びロック用窪みのうちの１つを含むことを特徴とする請求項１に記載の電子機器用筐体。
【請求項３】
前記ハウジングは、前記背面部分と下面部分とを接合する端部にくぼみを有し、前記端部から前記背面部分及び前記下面部分を横切って延びることを特徴とする請求項１又は２に記載の電子機器用筐体。
【請求項４】
前記第３及び第４の表面部分は相対的に傾斜して、前記嵌合方向において前記第２の表面部分から前記第１の表面部分へ互いに対して接近することを特徴とする請求項１〜３のいずれか一項に記載の電子機器用筐体。
【請求項５】
前記第３及び第４の表面部分それぞれには、前記第１の表面部分から前記第２の表面部分へ、それぞれの表面部分に沿って少なくとも部分的に延びる、前記レセプタクルの保持部分に嵌合するための溝又はレールを設けられていることを特徴とする請求項１〜４のいずれか一項に記載の電子機器用形態。
【請求項６】
前記ロック用窪み又は前記ロック用突起は前記溝又は前記レールに配置されていることを特徴とする請求項５に記載の電子機器用筐体。
【請求項７】
前記溝又は前記レールのそれぞれは、前記第３の表面部分又は前記第４の表面部分のそれぞれを前記第５の表面部分に接合する端部に平行に設けられていることを特徴とする請求項５又は６に記載の電子機器用筐体。
【請求項８】
前記溝又はレールのそれぞれは、前記第３の表面部分又は前記第４の表面部分をそれぞれ前記第５の表面部分及び前記第６の表面部分以外に接合する端部よりも、前記第３の表面部分又は前記第４の表面部分をそれぞれ前記第５の表面部分及び前記第６の表面部分の一方に接合する端部の比較的近くに提供されていることを特徴とする請求項５〜７のいずれか一項に記載の電子機器用筐体。
【請求項９】
前記第５の表面部分は、前記端子導体を支持するように構成されており、前記第６の表面部分は、前記嵌合方向に対して垂直な平面において、前記第５の表面部分の曲率半径よりも小さな曲率半径を有することを特徴とする請求項８に記載の電子機器用筐体。
【請求項１０】
前記第５の表面部分は略平面であることを特徴とする請求項１〜９のいずれか一項に記載の電子機器用筐体。
【請求項１１】
前記第５の表面部分及び前記第６の表面部分は、二等辺三角形である周囲を有することを特徴とする請求項１〜１０のいずれか一項に記載の電子機器用筐体。
【請求項１２】
前記第６の表面部分が、前記嵌合方向に垂直な方向において外側に湾曲していることを特徴とする請求項１〜１１のいずれか一項に記載の電子機器用筐体。
【請求項１３】
前記筐体は、前記端子導体に接続されているとともに前記端子導体を介した吸収性物品からのセンサ信号を受け取り、処理するように構成された記録用電子機器を含むことを特徴とする請求項１〜１２のいずれか一項に記載の電子機器用筐体。
【請求項１４】
請求項１〜１３のいずれか一項に記載の筐体と、協働するレセプタクルと、の組み合わせであって、
前記レセプタクルは、前記筐体と嵌合した際に、前記筐体中の対応する導体に接触するための端子導体を有し、
前記レセプタクルはベース面を有し、該ベース面に沿って前記筐体が嵌合方向に平行移動して、前記筐体を前記レセプタクルに嵌合させる、組合せ。
【請求項１５】
レセプタクルを有するおむつであって、該おむつのセンサ要素が前記レセプタクルにおいて終端し、前記レセプタクルは、筐体と嵌合した際に、前記筐体中の対応する導体に接触するための端子導体を有し、前記レセプタクルはベース面を有し、該ベース面に沿って前記筐体が嵌合方向に平行移動して、前記筐体を前記レセプタクルに嵌合させる、おむつと、
請求項１〜１３のいずれか一項に記載の筐体に格納された記録用電子機器を有する記録ユニットであって、前記筐体が前記レセプタクルに嵌合されているときに、前記レセプタクルと協働して前記記録用電子機器を前記センサ要素に接続するように適用されている記録ユニットと、
前記記録用電子機器によって前記センサ要素から得られたデータを処理し、前記データに基づいて対策をとるためのデータ処理装置と、
を備える吸収性物品管理システム。
【国際調査報告】
2016515699.tif 000021
2016515699.tif 000022